(57)【要約】      （修正有）【課題】ＩＣタグが書き込み対象であるか否かを判別できるようにする。【解決手段】プリンター本体３は制御部５４を備えており、この制御部５４は、媒体のＩＣタグに情報を書き込む場合、ＩＣタグの記憶領域の特定のエリアが初期状態か否かを判別し、初期状態の場合に情報の書き込み対象とする。【選択図】図４
2014063476.tif 000002
【特許請求の範囲】
【請求項１】
無線通信で媒体のＩＣタグに情報を書き込み、及び、前記ＩＣタグに含まれる情報の読み出しを行う情報読書部と、
前記情報読書部での前記ＩＣタグの書き込み及び読み出しを制御し、前記媒体の前記ＩＣタグに情報を書き込むときに、当該ＩＣタグの記憶領域の特定のエリアが所定の状態であるか否かを判別し、前記所定の状態であると判別した場合に当該ＩＣタグへの書き込みを実行させる制御部と、
を備えることを特徴とする媒体処理装置。
【請求項２】
前記制御部は、
前記情報読書部で前記ＩＣタグに情報を書き込むときに、当該ＩＣタグの記憶領域の特定のエリアが前記所定の状態ではないと判別した場合、前記ＩＣタグへの書き込みを実行させない請求項１に記載の媒体処理装置。
【請求項３】
前記情報読書部は、
無線信号を送信して通信可能な前記ＩＣタグの検出を実行し、
前記制御部は、
前記情報読書部で通信可能な前記ＩＣタグの検出を実行したときに、検出される前記ＩＣタグの数を判別する請求項１または２に記載の媒体処理装置。
【請求項４】
前記制御部は、
検出される前記ＩＣタグの数が２以上であることを判別した場合、検出される前記ＩＣタグの特定のエリアが前記所定の状態であるか否かを判別し、前記特定のエリアが前記所定の状態である前記ＩＣタグが１つのとき、前記特定のエリアが前記所定の状態である前記ＩＣタグに書き込みを実行させる請求項３に記載の媒体処理装置。
【請求項５】
前記制御部は、
検出される前記ＩＣタグの数が２以上であることを判別した場合、
前記検出される前記ＩＣタグに書き込みを実行させない請求項３に記載の媒体処理装置。
【請求項６】
前記媒体は、前記ＩＣタグを、間隔を開けて配設し、
前記媒体を搬送する搬送部を備え、
前記情報読書部は、前記搬送部で情報読書位置に搬送された前記ＩＣタグに、書き込みを実行する請求項１ないし５のいずれか１項に記載の媒体処理装置。
【請求項７】
媒体に配設されるＩＣタグを情報読書位置に搬送し、
前記ＩＣタグが前記情報読書位置に搬送された後、前記ＩＣタグの記憶領域の特定のエリアが所定の状態であるか否かを判別し、
前記特定のエリアが前記所定の状態であることを判別したとき、前記ＩＣタグに書き込み処理を実行することを特徴とする媒体処理装置の制御方法。
【請求項８】
前記ＩＣタグが前記情報読書位置に搬送された後、前記ＩＣタグの数を検出し、
検出される前記ＩＣタグの数を判別し、
前記ＩＣタグの数が１であることを判別した後、前記ＩＣタグの記憶領域の特定のエリアが所定の状態であるか否かを判別する請求項７に記載の媒体処理装置の制御方法。
【発明の詳細な説明】
【技術分野】
【０００１】
本発明は、媒体のＩＣタグに情報を読み書き可能な媒体処理装置、当該媒体処理装置の制御方法、及び、当該媒体処理装置を制御するためのプログラムに関する。
【背景技術】
【０００２】
従来、非接触のＩＣタグ（非接触タグ、ＲＦＩＤタグ）が設けられた媒体（記録媒体、ラベル）に情報を書き込み可能に構成された媒体処理装置（記録装置、ラベルプリンター）が知られている（例えば、特許文献１参照）。
【先行技術文献】
【特許文献】
【０００３】
【特許文献１】特開２００９−８３４５９号公報
【発明の概要】
【発明が解決しようとする課題】
【０００４】
ここで、上述した媒体処理装置のように、ＩＣタグに情報を書き込むものでは、ＩＣタグに想定していない情報が書き込まれた場合であっても、視認等によって容易に確認することができない。このため、ＩＣタグが書き込み対象であるか否かを判別することが要求される場合がある。
本発明は、上述した事情に鑑みてなされたものであり、ＩＣタグが書き込み対象であるか否かを判別できるようにすることを目的とする。
【課題を解決するための手段】
【０００５】
上記目的を達成するために、本発明は、無線通信で媒体のＩＣタグに情報を書き込み、及び、前記ＩＣタグに含まれる情報の読み出しを行う情報読書部と、前記情報読書部での前記ＩＣタグの書き込み及び読み出しを制御し、前記媒体の前記ＩＣタグに情報を書き込むときに、当該ＩＣタグの記憶領域の特定のエリアが所定の状態であるか否かを判別し、前記所定の状態であると判別した場合に当該ＩＣタグへの書き込みを実行させる制御部と、備えることを特徴とする。
本発明の構成によれば、特定のエリアについては、情報読書部による情報の書き込み前は、所定の状態が維持され、ＩＣタグへの情報の書き込みが行われると、当該特定のエリアの所定の状態が変移するというＩＣタグの特性を利用して、ＩＣタグが既に情報の書き込みが行われているか否かを判別することが可能であると共に、ＩＣタグが書き込み対象であるか否かを判別することが可能となる。
【０００６】
また、本発明は、前記制御部は、前記情報読書部で前記ＩＣタグに情報を書き込むときに、当該ＩＣタグの記憶領域の特定のエリアが前記所定の状態ではないと判別した場合、前記ＩＣタグへの書き込みを実行させない。
本発明の構成によれば、既に情報が書き込まれているＩＣタグに、誤って情報の書き込みを行うことを防ぐことが可能となる。
【０００７】
また、本発明は、前記情報読書部は、無線信号を送信して通信可能な前記ＩＣタグの検出を実行し、前記制御部は、前記情報読書部で通信可能な前記ＩＣタグの検出を実行したときに、検出される前記ＩＣタグの数を判別する。
本発明の構成によれば、検出されるＩＣタグの数に応じた適切な処理を実行可能となる。
【０００８】
また、本発明は、前記制御部は、検出される前記ＩＣタグの数が２以上であることを判別した場合、検出される前記ＩＣタグの特定のエリアが前記所定の状態であるか否かを判別し、前記特定のエリアが前記所定の状態である前記ＩＣタグが１つのとき、前記特定のエリアが前記所定の状態である前記ＩＣタグに書き込みを実行させる。
ここで、何らかの原因により通信可能なＩＣタグが複数検出された場合において、特定のエリアが初期状態であるＩＣタグが１つではない場合、情報を書き込むべきＩＣタグを特定できない。従って、この場合、上記構成のように、いずれのＩＣタグにも情報の書き込みを行わないことにより、書き込むべきでないＩＣタグに情報が書き込まれてしまうのを防止することが可能である。一方で、特定のエリアが初期状態であるＩＣタグが１つである場合、当該ＩＣタグが情報の書き込み対象である蓋然性が高く、この場合、当該ＩＣタグに情報を書き込むことにより、情報を書き込むべきＩＣタグを、情報の書き込み対象とすることができる。
【０００９】
また、本発明は、前記制御部は、検出される前記ＩＣタグの数が２以上であることを判別した場合、前記検出される前記ＩＣタグに書き込みを実行させない。
ここで、通信可能なＩＣタグが複数存在する場合、情報を書き込むべきでないＩＣタグが通信可能な位置に位置しているというイレギュラーな状態である。このような場合に、上記構成のように、いずれのＩＣタグにも情報の書き込みを行わないことにより、想定していないＩＣタグに誤って情報が書き込まれてしまうことを確実に防止可能である。
【００１０】
また、本発明は、前記媒体は、前記ＩＣタグを、間隔を開けて配設し、前記媒体を搬送する搬送部を備え、前記情報読書部は、前記搬送部で情報読書位置に搬送された前記ＩＣタグに、書き込みを実行する。
本発明の構成によれば、媒体に配設されたＩＣタグの書き込みに際し、誤って情報が書き込まれることを防止できる。
【００１１】
また、上記目的を達成するために、本発明は、媒体に配設されるＩＣタグを情報読書位置に搬送し、前記ＩＣタグが前記情報読書位置に搬送された後、前記ＩＣタグの記憶領域の特定のエリアが所定の状態であるか否かを判別し、前記特定のエリアが前記所定の状態であることを判別したとき、前記ＩＣタグに書き込み処理を実行することを特徴とする。
本発明の制御方法によれば、特定のエリアについては、情報読書部による情報の書き込み前は、所定の状態が維持され、ＩＣタグへの情報の書き込みが行われると、当該特定のエリアの所定の状態が変移するというＩＣタグの特性を利用して、ＩＣタグが既に情報の書き込みが行われているか否かを判別することが可能であると共に、ＩＣタグが書き込み対象であるか否かを判別することが可能となる。
【００１２】
また、本発明は、前記ＩＣタグが前記情報読書位置に搬送された後、前記ＩＣタグの数を検出し、検出される前記ＩＣタグの数を判別し、前記ＩＣタグの数が１であることを判別した後、前記ＩＣタグの記憶領域の特定のエリアが所定の状態であるか否かを判別する。
本発明の制御方法によれば、ＩＣタグの数が１つであるか否か、ＩＣタグの記憶領域の特定のエリアが所定の状態であるか否かに応じた適切な処理を実行可能となる。
【００１３】
本発明によれば、ＩＣタグが書き込み対象であるか否かを判別できる。
【図面の簡単な説明】
【００１４】
【図１】本実施形態に係るプリンターの斜視図である。
【図２】カバーを開けた状態のプリンターの斜視図である。
【図３】プリンター本体の内部機構を示す説明図である。
【図４】プリンターの制御系の構成を示す機能ブロック図である。
【図５】ＲＦＩＤタグのメモリーの要部のデータ構造を示す図である。
【図６】プリンターの動作を示すフローチャートである。
【図７】プリンターの動作を示すフローチャートである。
【発明を実施するための形態】
【００１５】
以下、図面を参照して本発明の実施形態について説明する。
図１はプリンター１（媒体処理装置）の斜視図である。
本実施形態に係るプリンター１は、空港における航空会社のサービスカウンター等に設けられ、いわゆるバゲッジタグを発行するものである。プリンター１によって発行されるバゲッジタグは、ＩＣ（Integrated Circuits）タグを搭載しており、このＩＣタグに、荷物（バゲッジ）を搭乗すべき飛行機の便の番号や、バゲッジタグを発行した日時等、予め定められた必要な情報が記録される。また、バゲッジタグの表面には、飛行機の便番号や、荷物の所有者の氏名等、予め定められた必要な情報が印刷される。
プリンター１は、印刷を実行するプリンター本体３にロール紙７（媒体）を供給する給紙装置２を備えて構成される。給紙装置２は、プリンター本体３に着脱可能に接続されるベース板４と、このベース板４に取り付けられている垂直支持板５と、垂直支持板５の上端側の部位に水平に取り付けられているロール紙支軸６とを備えている。ロール紙支軸６には、その先端側からロール紙７が装着される。ロール紙支軸６の先端部には、ロール紙支軸６に直交する方向にロール紙抜け止め用の抜け防止軸８が取り付けられている。また、ロール紙支軸６の根元側にはロール紙幅調整用の円盤状のスペーサー９が着脱可能に取り付けられており、幅の異なるロール紙を、装着可能となっている。
【００１６】
ロール紙７は、本実施形態では、空港において使用されるバゲッジタグ用のラベル用紙１０（媒体）を巻き取ったものである。ロール紙７は、一定幅の連続する長尺の台紙に、所定の長さのラベル用紙１０が配置されたものである。各ラベル用紙１０の先頭部分には所定の情報が書き込まれたＲＦＩＤ（Radio frequency identification）タグ１０Ａ（ＩＣタグ）が貼付または埋設（搭載、配設）されている。なお、ベース板４を連続用紙の一つであるファンフォールド紙のトレイとして利用することも可能である。この場合には、給紙装置２を、ロール紙７およびファンフォールド紙の双方に給紙する装置として用いることができる。
プリンター本体３は、全体として前後に長い直方体形状をしたプリンター本体ケース１１を備えている。プリンター本体ケース１１の上面には、開閉自在にカバー１６が設けられている。プリンター本体ケース１１の後端面１１ａ（図２参照）と、カバー１６の先端部との間には、用紙挿入口２６が形成されている。さらに、プリンター本体ケース１１の前端面１１ｂには、その上下方向の中程の位置に用紙排出口２８が形成されている。
【００１７】
図２はカバー１６を開けた状態のプリンター本体３を示す斜視図である。
図２に示すように、カバー１６を回動させて開くと上面開口部１３が露出する。また、プリンター本体ケース１１の一方の側面１４には、上面開口部１３から連続する側面開口部１５が形成される。
【００１８】
カバー１６は、図１に示す閉じ位置において上面開口部１３および側面開口部１５を封鎖する。カバー１６は、上面開口部１３を封鎖するカバー天板部分１７と、側面開口部１５を封鎖するカバー側板部分１８とを備えており、カバー天板部分１７におけるプリンター本体３の前側の端部を中心として、図１に示す閉じ位置から図２に示す全開位置まで開くことができる。カバー１６を開くと、プリンター本体ケース１１の内部に形成されているラベル用紙１０の搬送経路１９、及び搬送経路１９の上側に形成されている用紙溜まり部２０が開放状態となり、これらに対して、上面開口部１３及び側面開口部１５からアクセス可能になる。
【００１９】
搬送経路１９の幅方向の一方の側端、すなわちプリンター本体３の一方の側端は、図２に示すように、カバー側板部分１８の内側に形成されている第１用紙ガイド２１である。また、幅方向の他方の側端は、搬送経路１９の底面の底板２４に着脱可能に取り付けた第２用紙ガイド２２および第３用紙ガイド２３のいずれかである。第２用紙ガイド２２が取り付けられている場合には、第１用紙ガイド２１および第２用紙ガイド２２によってラベル用紙１０をガイド可能であり、第２用紙ガイド２２を外すと、第１用紙ガイド２１および第３用紙ガイド２３によってラベル用紙１０をガイド可能になる。
【００２０】
用紙挿入口２６の内側には、プリンター本体ケース１１の側に下側ガイドローラー２７ａが取り付けられており、カバー１６側には、カバー１６が図１の閉じ位置にある場合に、下側ガイドローラー２７ａに対向する上側ガイドローラー２７ｂが取り付けられている。
プリンター本体３は、ＵＳＢケーブル２９を介して、後述するホストコンピューター５５（図４）に接続され、ホストコンピューター５５との間で印刷コマンドや印刷データを送受信する。
【００２１】
図３（Ａ）は、プリンター本体３の内部機構を示す説明図であり、プリンター１の前後方向に対して横方向（幅方向）から見た図である。また、図３（Ｂ）は、後述するが、図３（Ａ）の搬送経路３９を模式的に切り出した図である。
プリンター本体３の内部機構は、プリンター本体ケース１１によって覆われている板金製の本体フレーム３０にプリンター本体３の構成部品が搭載された構成となっている。本体フレーム３０には上方に突出した左右の支持腕３１が形成されており、これらの支持腕３１の間にヒンジ軸３２が、プリンター本体ケース１１の幅方向に平行に架け渡されて、カバー１６がヒンジ軸３２の軸まわりに回動自在となっている。
【００２２】
プリンター本体３の内部においては、用紙溜まり部２０の前側の部位において、用紙挿入口２６よりも下方の位置にテンションローラー３６が幅方向に架け渡されている。また、用紙挿入口２６と用紙排出口２８との間には、テンションローラー３６、及びテンションローラー３６の前方に位置するプラテンローラー４２を経由するラベル用紙１０の搬送経路３９が形成されている。
搬送経路３９は、用紙挿入口２６に近い上流側の傾斜搬送経路３９Ａと、下流側の傾斜搬送経路３９Ｂと、さらに下流側において用紙排出口２８近傍の水平搬送経路３９Ｃとによって構成される。傾斜搬送経路３９Ａは、用紙挿入口２６から下向きに傾斜して延び、テンションローラー３６に至る経路である。また、傾斜搬送経路３９Ｂは、テンションローラー３６から下流側において上方に向けて傾斜して延び、プラテンローラー４２に達する経路である。傾斜搬送経路３９Ｂは、上下に対向して配置された用紙ガイド３７、３８によって形成される。また、水平搬送経路３９Ｃは、プラテンローラー４２から下流側すなわち前側に水平に延びて用紙排出口２８に繋がる経路である。
傾斜搬送経路３９Ｂには、ラベル用紙１０に印刷を行うサーマルヘッド４１が下向きに配置され、サーマルヘッド４１には下側からプラテンローラー４２が対向して配置されている。プラテンローラー４２は、サーマルヘッド４１の発熱面に押し付けて配置され、プラテンローラー４２の回転によってラベル用紙１０が搬送される。また、水平搬送経路３９Ｃ上には、用紙排出口２８の近傍にオートカッターユニット４３が配置されており、サーマルヘッド４１により印刷された印刷媒体（例えば、ラベル用紙１０）はオートカッターユニット４３により切断される。
【００２３】
ラベル用紙１０に印刷する場合、まず、カバー１６が開かれて、ユーザーの作業によって給紙装置２にセットされたラベル用紙１０が引き出されて、用紙挿入口２６から挿入される。このラベル用紙１０は、第１用紙ガイド２１と第２用紙ガイド２２あるいは第３用紙ガイド２３にガイドされながら、傾斜搬送経路３９Ａを通って、テンションローラー３６に導かれる。さらに、ラベル用紙１０は、テンションローラー３６から傾斜搬送経路３９Ｂに沿ってサーマルヘッド４１とプラテンローラー４２の間に搬送され、水平搬送経路３９Ｃを通って用紙排出口２８から引き出された状態にセットされる。ここで、カバー１６が閉じられると、ラベル用紙１０の先端がプラテンローラー４２とサーマルヘッド４１とに挟まれて搬送可能となる。
【００２４】
プリンター本体ケース１１内には、ＲＦＩＤタグ１０Ａに対してデータの書き込み及びデータの読み出しを行うタグ読書装置４６（情報読書部）が配置されている。タグ読書装置４６は、ＲＦＩＤタグ１０Ａに対して無線信号を送受信するアンテナ４４と、ＲＦ送受信回路４５とを備えている。アンテナ４４は、図３（Ａ）に示すように、傾斜搬送経路３９Ａ（搬送経路）に向けて設けられ、傾斜搬送経路３９Ａが、タグ読書装置４６によるデータの書き込み及びデータの読み出しが行われる情報読書位置となっている。すなわち、ラベル用紙１０に付されたＲＦＩＤタグ１０Ａが傾斜搬送経路３９Ａの範囲に位置している間に、タグ読書装置４６により、データの書込及びデータの読み取りが行われる。
【００２５】
ＲＦＩＤタグ１０Ａは、タグ読書装置４６等の外部の装置から送信される無線信号を受信するアンテナを備え、このアンテナに誘起される電力によりＩＣを駆動する受動型のＩＣタグである。本実施形態のタグ読書装置４６及びＲＦＩＤタグ１０Ａは、無線タグとして一般的なプロトコルに従って無線信号を送受信する。
すなわち、タグ読書装置４６は、ＲＦＩＤタグ１０Ａに対するデータの書き込み又はデータの読み出しを行う場合に、まず、所定周波数の搬送波を送信し、この搬送波に重畳して検出用信号を送信する。タグ読書装置４６が送信した搬送波によってＲＦＩＤタグ１０Ａのアンテナに起電力が誘起されると、この電力によりＲＦＩＤタグ１０ＡのＩＣがオンに切り替わり、検出用信号を受信して、この検出用信号に対して応答する信号を送信する。タグ読書装置４６は、ＲＦＩＤタグ１０Ａが送信した応答信号を受信すると、搬送波の出力を継続しながら、このＲＦＩＤタグ１０Ａをデータの書き込み及びデータの読み出しの対象として設定するとともに、データの書き込み及びデータの読み出しを開始する旨を通知する信号を送信する。その後は、タグ読書装置４６が搬送波の出力を継続しながら、タグ読書装置４６とＲＦＩＤタグ１０Ａとの間で無線信号が送受信され、ＲＦＩＤタグ１０Ａに記録されているデータの読み出し、及び、ＲＦＩＤタグ１０Ａが有するＩＣの書き換え可能な記憶領域に対し、データの書込が行われる。
【００２６】
図４はプリンター１の制御系の構成を示す機能ブロック図である。
プリンター１は、上述した各部の他、ホストコンピューター５５に接続される通信インターフェイス（Ｉ／Ｆ）５１と、プリンター１の各部を制御する制御部５４とを備えて構成される。通信インターフェイス５１は、例えばＵＳＢ規格に準拠したコネクターやインターフェイス回路等を備え、ホストコンピューター５５との間でコマンドや各種データを送受信する。
制御部５４は、通信インターフェイス５１を介してホストコンピューター５５との間でコマンドや各種データを送受信するとともに、サーマルヘッド４１、タグ読書装置４６、搬送部５２、及びオートカッターユニット４３の各部を制御する。搬送部５２は、プラテンローラー４２、プラテンローラー４２を駆動する搬送モーター（図示略）、及び、搬送モーターの駆動軸とプラテンローラー４２とを連結するギヤ等により構成される構成部である。
【００２７】
制御部５４は、ホストコンピューター５５から入力される印刷コマンドと印刷データに従って、搬送部５２を制御してラベル用紙１０を搬送させ、サーマルヘッド４１への通電を制御して、ラベル用紙１０に文字、画像、バーコード等を印刷させる。例えば、ラベル用紙１０がバゲッジタグとして使用される場合、ラベル用紙１０には、取扱航空会社、出発空港、行き先の空港、トランジットする空港、このバゲッジタグを発行したカウンター、対応する搭乗券の番号、搭乗便等の名称やコードが印刷される。
また、制御部５４は、搬送部５２を制御して、印刷対象のラベル用紙１０に付されているＲＦＩＤタグ１０Ａを傾斜搬送経路３９Ａ上に停止させる。
また、制御部５４は、タグ読書装置４６を制御して、ＲＦＩＤタグ１０Ａに対するデータ読み出し及びデータ書き込みを実行させる。より詳細には、タグ読書装置４６を制御して、ＲＦＩＤタグ１０ＡのＩＣが記憶しているデータを読み取り、続いて、ラベル用紙１０に印刷する内容に対応したデータをＲＦＩＤタグ１０ＡのＩＣに書き込む。例えば、本実施形態のようにラベル用紙１０がバゲッジタグとして使用される場合、取扱航空会社、出発空港、行き先の空港、トランジットする空港、このバゲッジタグを発行したカウンター、対応する搭乗券の番号、搭乗便等を示すデータをＲＦＩＤタグ１０Ａに書き込む。
また、制御部５４は、通信インターフェイス５１によりホストコンピューター５５との間のコマンド及びデータの送受信を実行する。
【００２８】
ここで、上述したとおり、タグ読書装置４６が搬送波の送信を開始すると、この搬送波を受信可能な範囲に位置する全てのＲＦＩＤタグ１０Ａがオンになり、応答信号を送信する。
これを踏まえ、本実施形態では、タグ読書装置４６が出力する搬送波の指向性を利用して、傾斜搬送経路３９Ａに対するアンテナ４４の位置を適切に設計する等して、傾斜搬送経路３９Ａに位置するＲＦＩＤタグ１０Ａ以外のロール紙７に形成されたＲＦＩＤタグ１０Ａ（装着された媒体に搭載されたＩＣタグ）には、搬送波が受信されない構成となっている。
図３（Ｂ）は、ある１枚のラベル用紙１０の末端での切断が完了した直後の、プリンター１内におけるラベル用紙１０の状態を、説明に適した態様で表す図である。つまり、図３（Ｂ）は、次に処理対象となるラベル用紙１０（＝次に発行されるバゲッジタグに対応するラベル用紙１０）について、バゲッジタグの発行に係る処理が開始される前の状態を模式的に示している。
図３（Ｂ）に示すように、処理の開始前、ラベル用紙１０の先端位置は、オートカッターユニット４３の切断位置に位置しており、さらに、ラベル用紙１０のＲＦＩＤタグ１０Ａは、傾斜搬送経路３９Ａに位置した状態となる。これは、バゲッジタグに係るラベル用紙１０における先端位置からＲＦＩＤタグ１０Ａの離間距離が規格により定められおり、当該離間距離を踏まえて、処理の開始前は傾斜搬送経路３９ＡにＲＦＩＤタグ１０Ａが位置するように、傾斜搬送経路３９Ｂの長さや、その他の付随する部材、機構が設計されているからである。
このような構成のため、ある１のラベル用紙１０に対して、バゲッジタグの発行に係る各種処理を開始する場合において、上述した手段により、通信可能なＲＦＩＤタグ１０Ａの検出を行った場合、プリンター１の近傍に処理済のラベル用紙１０が載置される等のイレギュラーな状態とならない限り、処理対象となるラベル用紙１０のＲＦＩＤタグ１０Ａ（＝傾斜搬送経路３９Ａに位置するラベル用紙１０）が検出される。
【００２９】
以上のような構成の下、プリンター１は、以下のようにして、媒体に搭載されたＩＣタグに連続して情報を書き込み、バゲッジタグを発行する。
ある１枚のバゲッジタグを発行する場合のプリンター１の基本的な動作について簡単に説明する。まず、制御部５４は、図３（Ｂ）に示す状態のラベル用紙１０について、搬送部５２と、サーマルヘッド４１とを制御して、ラベル用紙１０の搬送と、サーマルヘッド４１の駆動とを所定のタイミングで行い、処理対象となるラベル用紙１０の表面の所定の位置に所定の情報を印刷する。また、制御部５４は、ラベル用紙１０の搬送に伴って、適切なタイミングで、ＲＦＩＤタグ１０Ａと通信し、必要な情報を読み出し、また、必要な情報を書き込む。情報の読み書きに係る制御については、後に詳述する。このようにして、ラベル用紙１０の表面に必要な情報を印刷し、また、ＲＦＩＤタグ１０Ａに必要な情報を書き込んだ後、制御部５４は、搬送部５２を制御してロール紙７をさらに搬送し、処理対象となるラベル用紙１０の末端を、オートカッターユニット４３による切断位置まで搬送する。次いで、制御部５４は、オートカッターユニット４３を制御して、処理対象となるラベル用紙１０の末端を切断する。
以上により、ラベル用紙１０がロール紙７から切り離されて、１枚のバゲッジタグの発行が完了する。
【００３０】
ところで、本実施形態に係るプリンター１では、タグ読書装置４６が出力する搬送波の指向性を利用して、ロール紙７に搭載されたＲＦＩＤタグ１０Ａについて、傾斜搬送経路３９Ａ上のＲＦＩＤタグ１０Ａ以外のロール紙７に形成されたＲＦＩＤタグ１０Ａに搬送波が届かないようにしている。この構造上、例えば、処理済（情報を書き込み済）のラベル用紙１０等がプリンター１の非常に近傍に載置される等した場合に、当該ラベル用紙１０のＲＦＩＤタグ１０Ａが搬送波を受信可能な状態となってしまう場合がある。このような場合において、プリンター１の近傍に載置されたラベル用紙１０のＲＦＩＤタグ１０Ａに情報が上書きされてしまった場合、当該ＲＦＩＤタグ１０Ａに、誤った情報が書き込まれた状態となる可能性があるため、このような書き込みが行われることを防止する必要がある。
以上を踏まえ、本実施形態に係るプリンター１は、以下の動作を実行する。
【００３１】
まず、処理対象のラベル用紙１０のＲＦＩＤタグ１０Ａに情報の書き込むときの前提について説明する。
本実施形態に係るＲＦＩＤタグ１０Ａは、ＲＦＩＤ推進団体であるＥＰＣｇｌｏｂａｌによって提案されたＲＦＩＤの仕様であるＧｅｎ２に準拠したＥＰＣ（Electronic Product Code）メモリーを、その記憶領域として使用している。
図５は、Ｇｅｎ２仕様のＥＰＣメモリーのデータ構造の要部を模式的に示す図である。
図５に示すように、Ｇｅｎ２仕様のＥＰＣメモリーには、フィールドとしてＮＳＩ（Numbering System Identifier）が形成されている。このＮＳＩは、ＥＰＣメモリーを、ＥＰＣフィールドとして使用するか、又は、ＡＦＩフィールドとして使用するかを判断するための情報を格納するフィールドであり、メモリーの仕様に関し、ＥＰＣＧｌｏｂａｌ仕様からＩＳＯ仕様へと移行する過程で設けられたものである。ＡＦＩ（Application Family Identifier）とは、ＩＣタグを利用すると想定されるアプリケーションごと（アプリケーション群ごと）に、割り振られた識別子のことである。また、図５に示すように、ＮＳＩは、１ビットからなるＴｏｇｇｌｅエリアと、８ビットからなるＲｅｓｅｒｖｅｄ／ＡＦＩエリアとを有している。
ここで、ＥＰＣメモリーをＥＰＣフィールドとして使用する場合は、ＮＳＩを構成する全てのビットを「０」とすべき旨、Ｇｅｎ２により規定されている。そして、ＲＦＩＤタグ１０Ａの製造時、ＥＰＣメモリーは、Ｇｅｎ２の規定に準拠して形成されるため、ＲＦＩＤタグ１０Ａの出荷後、ＮＳＩに対して意図的に情報が書き込まれない限りは、ＮＳＩの全てのビットが「０」の状態が、確実に維持された状態となる。以下、ＮＳＩの全てのビットが「０」である状態を「初期状態」と表現する。
一方で、本実施形態に係るプリンター１は、ＥＰＣメモリーをＡＦＩフィールドとして使用する。そして、ＥＰＣメモリーにバゲッジタグに関する情報を書き込む場合、制御部５４は、ＩＡＴＡ（International Air Transport Association）によって取り決められた規定に従って、ＮＳＩのＴｏｇｇｌｅエリアに「１」を書き込み、かつ、Ｒｅｓｅｒｖｅｄ／ＡＦＩエリアに「Ｃ１ｈ」を書き込む。このＮＳＩへの特定の情報の書き込みは、ＥＰＣメモリーをＡＦＩフィールドとして使用するために、必須の処理であり、本実施形態に係るプリンター１を含む、空港においてバゲッジタグを発行するプリンターは、ＲＦＩＤタグ１０Ａに情報を書き込む場合、必ず、ＮＳＩのＴｏｇｇｌｅエリア、及び、Ｒｅｓｅｒｖｅｄ／ＡＦＩエリアに特定の情報を書き込む。
【００３２】
以上説明した前提を踏まえ、本実施形態に係るプリンター１の動作を説明する。
図６は、ラベル用紙１０のＲＦＩＤタグ１０Ａに、バゲッジタグに関する情報を書き込む際のプリンター１の基本的な動作を示すフローチャートである。図６のフローチャートでは、動作の開始時点では、処理対象となるラベル用紙１０は、図３（Ｂ）の状態であるものとする。図６のフローチャートは、正常にセットされたラベル用紙１０のＲＦＩＤタグ１０Ａに情報の書き込みを行う場合のプリンター１の動作を示している。
図６を参照し、プリンター１の制御部５４は、タグ読書装置４６を制御して、ラベル用紙１０のＲＦＩＤタグ１０Ａから、プロトコルに従った通信を介して、メモリーデータを取得する（ステップＳＡ１）。メモリーデータとは、ＥＰＣメモリーと同一のデータ構造、同一の内容のデータのことであり、より具体的には、ＥＰＣメモリーを構成するビット列からなるデータのことである。
次いで、制御部５４は、メモリーデータにおけるＮＳＩを参照し（ステップＳＡ２）、ＮＳＩが初期状態であるか否かを判別する（ステップＳＡ３）。上述したとおり、ＮＳＩが初期状態の場合、ＥＰＣメモリーに対する情報の書き込みは１度も行われていない状態であり、逆に、ＮＳＩが初期状態ではない場合、ＥＰＣメモリーに対する情報の書き込みが既に少なくとも１回は行われている状態である。
ステップＳＡ３において、ＮＳＩが初期状態の場合（ステップＳＡ３：ＹＥＳ）、制御部５４は、タグ読書装置４６を制御して、ＥＰＣメモリーに形成された所定のエリアに、所定の情報を書き込む（ステップＳＡ４）。
一方、ＮＳＩが初期状態でない場合（ステップＳＡ３：ＮＯ）、制御部５４は、その旨警告し、情報の書き込みを行うことなく、処理を一時停止する（ステップＳＡ５）。
このように、ＮＳＩが初期状態であるか否かを判別することにより、ＲＦＩＤタグ１０Ａに情報の書き込みが行われているのか否かを判別できる。
また、ＮＳＩが初期状態でない場合、情報の書き込みが行われないため、既に情報が書き込まれているＲＦＩＤタグ１０Ａに誤って情報が書き込まれることを防止できる。また、警告により、イレギュラーな状態であることをユーザーに認識させることができる。
【００３３】
図７は、処理対象となるラベル用紙１０のＲＦＩＤタグ１０Ａにバゲッジタグに関する情報を書き込む際のプリンター１の動作をより詳細に示すフローチャートである。図７のフローチャートでは、動作の開始時点では、処理対象となるラベル用紙１０は、図３（Ｂ）の状態であるものとする。
まず、制御部５４は、タグ読書装置４６を制御して、検出用信号を送信し、その応答信号の受信状況により、通信可能なＲＦＩＤタグ１０Ａを検出する検出処理を行う（ステップＳＢ１）。
次いで、制御部５４は、ステップＳＢ１の検出処理の結果、通信可能なＲＦＩＤタグ１０Ａが１つも検出されていない状態か、否かを判別する（ステップＳＢ２）。通信可能なＲＦＩＤタグ１０Ａが１つも検出されていない状況は、何らかの原因で処理対象のラベル用紙１０のＲＦＩＤタグ１０Ａが壊れていたり、また、ラベル用紙１０の引き抜き等が行われ、プリンター１内にラベル用紙１０が位置していなかったりする場合に現出する。
通信可能なＲＦＩＤタグ１０Ａが１つも検出されなかった場合（ステップＳＢ２：ＹＥＳ）、制御部５４は、その旨を警告し、処理を一時停止する（ステップＳＢ３）。通信可能なＲＦＩＤタグ１０Ａが１つもないため、情報の書き込みが不可能だからであり、何らかのエラーが発生していると考えられるからである。警告は、例えば、ホストコンピューター５５に所定のデータを出力し、ホストコンピューター５５が備える表示パネルに、通信可能なＲＦＩＤタグ１０Ａが１つも検出されなかった旨を示す情報を表示したり、また、プリンター１がＬＥＤや、表示パネルを備えている場合は、ＬＥＤを所定の態様で点灯／消灯したり、表示パネルにその旨を示す情報を表示したりすることによって行われる。この点は、以下で行われる別のケースの警告も同様である。ステップＳＢ３における警告により、ユーザーは、通信可能なＲＦＩＤタグ１０Ａが１つも検出されなかったことを迅速、かつ、確実に認識でき、対応する処理（例えば、原因の究明）を実行することが可能となる。
【００３４】
一方、ステップＳＢ２において、通信可能なＲＦＩＤタグ１０Ａが１つも検出されていない状態ではないと判別した場合（ステップＳＢ２：ＮＯ）、制御部５４は、検出されたＲＦＩＤタグ１０Ａが「１つ」であるか否かを判別する（ステップＳＢ４）。
検出されたＲＦＩＤタグ１０Ａが「１つ」の場合（ステップＳＢ４：ＹＥＳ）、制御部５４は、タグ読書装置４６を制御して、検出された１つのＲＦＩＤタグ１０Ａから、プロトコルに従った通信を介して、メモリーデータを取得する（ステップＳＢ５）。メモリーデータとは、ＥＰＣメモリーと同一のデータ構造、同一の内容のデータのことであり、より具体的には、ＥＰＣメモリーを構成するビット列からなるデータのことである。
次いで、制御部５４は、メモリーデータにおけるＮＳＩを参照し（ステップＳＢ６）、ＮＳＩが初期状態であるか否かを判別する（ステップＳＢ７）。上述したとおり、ＮＳＩが初期状態の場合、ＥＰＣメモリーに対する情報の書き込みは１度も行われていない状態であり、逆に、ＮＳＩが初期状態ではない場合、ＥＰＣメモリーに対する情報の書き込みが既に少なくとも１回は行われている状態である。
ステップＳＢ７において、ＮＳＩが初期状態の場合（ステップＳＢ７：ＹＥＳ）、制御部５４は、タグ読書装置４６を制御して、ＥＰＣメモリーに形成された所定のエリアに、必要な情報を書き込む（ステップＳＢ８）。
ここで、検出されたＲＦＩＤタグ１０Ａが「１つ」であり、かつ、当該ＲＦＩＤタグ１０ＡのＮＳＩが初期状態ということは、未だ情報の書き込みが行われていない処理対象のラベル用紙１０が、想定された正常な位置に位置しており、かつ、プリンター１の近傍に通信可能な他のＲＦＩＤタグ１０Ａが存在しない状態である。従って、制御部５４は、検出されたＲＦＩＤタグ１０Ａに情報を書き込む。
【００３５】
一方、ＮＳＩが初期状態でない場合（ステップＳＢ７：ＮＯ）、制御部５４は、その旨を警告し、処理を一時停止する（ステップＳＢ９）。ここで、通信可能なＲＦＩＤタグ１０Ａが「１つ」であり、かつ、当該ＲＦＩＤタグ１０ＡのＮＳＩが初期状態ではない状態としては、例えば、以下の状態が想定される。すなわち、何らかの原因で、処理対象のラベル用紙１０が正常な位置に位置していない一方、発行済のバゲッジタグがプリンター１の近傍に載置されている状態である。この場合、通信可能なＲＦＩＤタグ１０Ａには、既に、情報が書き込まれている状態であり、仮に、当該ＲＦＩＤタグ１０Ａに情報の書き込みを行った場合、既に書き込まれた情報が上書きされ、当該ＲＦＩＤタグ１０Ａに想定された情報以外の情報が書き込まれた状態となってしまう。このため、新たに情報の書き込みを行うことを防止しなければならない。従って、ステップＳＢ９において、処理を一時停止して警告を行う。当該警告により、ユーザーは、通信可能なＲＦＩＤタグ１０Ａが１つも検出されなかったことを迅速、かつ、確実に認識でき、対応する処理（例えば、原因の究明）を実行することが可能となる。
【００３６】
さて、ステップＳＢ４において、検出されたＲＦＩＤタグ１０Ａが「１つ」ではない（＝複数）と判別した場合（ステップＳＢ４：ＮＯ）、制御部５４は、複数のＲＦＩＤタグ１０Ａのそれぞれと規格に準拠して通信し、それぞれのＲＦＩＤタグ１０Ａのメモリーデータを取得する（ステップＳＢ１０）。次いで、制御部５４は、取得したメモリーデータのそれぞれのＮＳＩを参照し（ステップＳＢ１１）、ＮＳＩが初期状態であるＲＦＩＤタグ１０Ａが「１つ」であるか否かを判別する（ステップＳＢ１２）。
検出された複数のＲＦＩＤタグ１０Ａについて、ＮＳＩが初期状態であるＲＦＩＤタグ１０Ａが「１つ」である場合（ステップＳＢ１２：ＹＥＳ）、制御部５４は、タグ読書装置４６を制御して、ＮＳＩが初期状態であるＲＦＩＤタグ１０ＡのＥＰＣメモリーに形成された所定のエリアに、必要な情報を書き込む（ステップＳＢ１３）。
ここで、検出されたＲＦＩＤタグ１０Ａが複数あり、かつ、複数のＲＦＩＤタグ１０Ａのうち、ＮＳＩが初期状態であるものが「１つ」である、という状態としては、例えば、以下の状態であることが想定される。すなわち、未だ情報の書き込みが行われていない処理対象のラベル用紙１０が、想定された正常な位置に位置しており、かつ、プリンター１の近傍に発行済のバゲッジタグが載置されている状態である。この場合、ＮＳＩが初期状態であるＲＦＩＤタグ１０Ａに情報の書き込みを行えば、想定された適切なＲＦＩＤタグ１０Ａに情報の書き込みを行えるため、制御部５４は、ＮＳＩが初期状態であるＲＦＩＤタグ１０Ａへの情報の書き込みを行う。
【００３７】
一方、ステップＳＢ１２において、検出された複数のＲＦＩＤタグ１０Ａについて、ＮＳＩが初期状態であるＲＦＩＤタグ１０Ａが「１つ」ではないと判別した場合、換言すれば、初期状態であるＲＦＩＤタグ１０Ａが「０個」、又は、「２つ以上」であると判別した場合（ステップＳＢ１２：ＮＯ）、制御部５４は、その旨警告し、処理を一時停止する（ステップＳＢ１４）。
通信可能なＲＦＩＤタグ１０Ａが複数であり、かつ、ＲＦＩＤタグ１０ＡのＮＳＩが初期状態ではないものが「０個」である状態としては、例えば、以下の状態が想定される。すなわち、何らかの原因で、処理対象のラベル用紙１０が正常な位置に位置していない一方、発行済のバゲッジタグが、複数、プリンター１の近傍に載置されている状態である。この場合、通信可能なＲＦＩＤタグ１０Ａの全てには、既に、情報が書き込まれている状態であり、仮に、いずれかのＲＦＩＤタグ１０Ａに情報の書き込みを行った場合、既に書き込まれた情報が上書きされ、当該ＲＦＩＤタグ１０Ａに想定された情報以外の情報が書き込まれた状態となってしまう。このため、新たに情報の書き込みを行うことを防止しなければならない。
また、通信可能なＲＦＩＤタグ１０Ａが複数であり、かつ、ＲＦＩＤタグ１０ＡのＮＳＩが初期状態ではないものが「２つ以上」である状態としては、例えば、以下の状態が想定される。すなわち、処理対象のラベル用紙１０が正常な位置に位置している一方、未処理であり、情報の書き込みが行われていないラベル用紙１０が何らかの原因でプリンター１の近傍に載置されている状態である。この場合において、仮に、検出されたＲＦＩＤタグ１０Ａのいずれかに情報の書き込みを行った場合、処理対象でないラベル用紙１０のＲＦＩＤタグ１０Ａに情報が書き込まれる可能性がある。このため、新たに情報の書き込みを行うことを防止しなければならない。
以上を踏まえ、ステップＳＢ１４において、制御部５４は、処理を一時停止して警告を行う。つまり、制御部５４は、いずれのＲＦＩＤタグ１０Ａにも情報の書き込みを行わない。これにより、書き込むべきでないＲＦＩＤタグ１０Ａに情報が書き込まれてしまうことを確実に防止可能である。
【００３８】
なお、図７のフローチャートでは、通信可能なＲＦＩＤタグ１０Ａが複数検出された場合であって、ＮＳＩが初期状態のＲＦＩＤタグ１０Ａが「１つ」の場合は、そのＲＦＩＤタグ１０Ａに情報を書き込む構成となっている。
しかしながら、通信可能なＲＦＩＤタグ１０Ａが、複数、検出された場合は、ＮＳＩが初期状態のＲＦＩＤタグ１０Ａの個数に限らず、いずれのＲＦＩＤタグ１０Ａにも情報を書き込まない構成であってもよい。つまり、ＮＳＩが初期状態のＲＦＩＤタグ１０Ａが「１つ」であったとしても、情報を書き込まない構成であってもよい。
この構成によれば、想定していないＲＦＩＤタグ１０Ａに、誤って情報が書き込まれてしまうことを確実に防止可能である。
【００３９】
以上説明したように、本実施形態では、ＲＦＩＤタグ１０ＡのＥＰＣメモリーのＮＳＩ（ＩＣタグの記憶領域の特定のエリア）について、ＲＦＩＤタグ１０Ａへの情報の書き込みが行われる前は、確実に初期状態が維持される構成となっている。そして、プリンター１の制御部５４は、ラベル用紙１０のＲＦＩＤタグ１０Ａに情報を書き込む場合、ＩＡＴＡの規格に準拠して、ＮＳＩのＴｏｇｇｌｅエリア、及び、Ｒｅｓｅｒｖｅｄ／ＡＦＩエリアに予め定められた情報（所定の情報）を書き込む一方、ＲＦＩＤタグ１０Ａに情報を書き込む場合、ＮＳＩが初期状態か否かを判別し、初期状態の場合に情報の書き込み対象とする。
この構成によれば、ＥＣＰメモリーにおけるＮＳＩを利用して、ＲＦＩＤタグ１０Ａに対して既に情報の書き込みが行われているか否かを判別することが可能であり、既に情報が書き込まれており、従って、情報を書き込む対象ではないＲＦＩＤタグ１０Ａに、誤って情報が書き込まれることを防止できる。
【００４０】
また、本実施形態では、制御部５４は、タグ読書装置４６により、ラベル用紙１０のＲＦＩＤタグ１０Ａに情報を書き込む場合、対応するＮＳＩが初期状態か否かを判別し、初期状態ではない場合、情報の書き込みを行わない。
この構成によれば、既に情報が書き込まれているＲＦＩＤタグ１０Ａに、誤って情報の書き込みを行うことを防止できる。
【００４１】
また、本実施形態では、制御部５４は、タグ読書装置４６によりＲＦＩＤタグ１０Ａに情報を書き込む場合、無線信号を送信して通信可能なＲＦＩＤタグ１０Ａの検出を行う。複数のＲＦＩＤタグ１０Ａが検出された場合であって、ＮＳＩが初期状態のＲＦＩＤタグ１０Ａが１つではない場合、いずれのＲＦＩＤタグ１０Ａにも情報の書き込みを行わない。一方、ＮＳＩが初期状態のＲＦＩＤタグ１０Ａが１つである場合、そのＲＦＩＤタグ１０Ａを情報の書き込み対象とする。
この構成によれば、書き込むべきでないＩＣタグに情報が書き込まれてしまうことを防止できると共に、情報を書き込むべきＲＦＩＤタグ１０Ａを、情報の書き込み対象とすることができる。
【００４２】
また、制御部５４は、上記処理に代えて、タグ読書装置４６によりＲＦＩＤタグ１０Ａに情報を書き込む場合、無線信号を送信して通信可能なＲＦＩＤタグ１０Ａの検出を行い、複数のＲＦＩＤタグ１０Ａが検出された場合、いずれのＲＦＩＤタグ１０Ａにも情報の書き込みを行わないようにしてもよい。
この構成によれば、想定していないＩＣタグに誤って情報が書き込まれてしまうことを確実に防止可能である。
【００４３】
また、本実施形態では、制御部５４は、ＲＦＩＤタグ１０Ａに情報を書き込む場合、タグ読書装置４６により無線信号を送信して通信可能なタグの検出を行い、１、又は、複数のＲＦＩＤタグ１０Ａが検出された場合であって、検出された全てのＲＦＩＤタグ１０Ａについて、ＮＳＩが初期状態ではない場合、所定の態様で警告を行う。
この構成によれば、ＲＦＩＤタグ１０Ａに想定していない情報が書き込まれることを防止した上で、正常な状態でないことを迅速、かつ、確実に検知可能となる。
【００４４】
また、本実施形態では、制御部５４は、ＲＦＩＤタグ１０Ａに情報を書き込む場合、タグ読書装置４６により無線信号を送信して通信可能なタグの検出を行い、１、又は、複数のＲＦＩＤタグ１０Ａが検出された場合であって、２以上のＲＦＩＤタグ１０Ａに係るＮＳＩが初期状態の場合、所定の態様で警告を行う。
この構成によれば、ＲＦＩＤタグ１０Ａに想定していない情報が書き込まれることを防止した上で、正常な状態でないことを迅速、かつ、確実に検知可能となる。
【００４５】
また、本実施形態に係るプリンター１は、ＲＦＩＤタグ１０Ａが間隔を開けて連続して搭載（配設）されたロール紙７（媒体）が装着可能に構成されている。また、制御部５４は、媒体を搬送する搬送部５２と、タグ読書装置４６とを制御して、ロール紙７を搬送しつつ、ロール紙７に搭載されたＲＦＩＤタグ１０Ａに連続して情報を書き込み可能である。そして、装着されたロール紙７に搭載されたＲＦＩＤタグ１０Ａについて、傾斜搬送経路３９Ａ上のＲＦＩＤタグ１０Ａ（情報の読み書き対象となっているＲＦＩＤタグ１０Ａ）以外のタグには、タグ読書装置４６が送信する無線信号が受信されない構成となっている。
この構成によれば、プリンター１の近傍に、何らかの原因で、書き込み済のＩＣタグが搭載された媒体が載置される等、イレギュラーな状態の場合に、情報の書き込みに際して、ＲＦＩＤタグ１０ＡのＮＳＩが初期状態でないと判別される場合が生じることとなり、より高い実効性をもって、情報を書き込む対象ではないＲＦＩＤタグ１０Ａに、誤って情報が書き込まれることを防止できる。
【００４６】
なお、上記実施形態は本発明を適用した好ましい一態様を例示したものであり、本発明はこれに限定されない。
例えば、上記実施形態では、「ＩＣタグの記憶領域の特定のエリアが所定の状態である」とは、ＮＳＩが初期状態であることであった。しかしながら、ＩＣタグの記憶領域の特定のエリアが所定の状態であることとしては、ＮＳＩが初期状態であることに限らない。すなわち、ＩＣタグの記憶領域に、情報の書き込み前は、所定の状態が維持され、ＩＣタグへの情報の書き込みが行われると、所定の状態が変移するというエリア（特定のエリア）が存在する場合は、そのエリアを利用して本発明を適用可能である。
また例えば、上記実施形態では、プリンター本体ケース１１の内部において、ラベル用紙１０が搬送される傾斜搬送経路３９Ａ、傾斜搬送経路３９Ｂ、及び水平搬送経路３９Ｃを含む搬送経路が設けられた構成を例に挙げて説明したが、ラベル用紙１０の搬送経路の傾斜、サーマルヘッド４１の配置、オートカッターユニット４３の配置等は任意である。また、タグ読書装置４６が備えるアンテナ４４は、ラベル用紙１０が搬送される経路を向けて配置されていればよく、例えば、用紙挿入口２６や用紙排出口２８の近傍に設置してもよいが、プリンター本体ケース１１の外への無線信号の漏洩を考慮すると、図３に示したようにプリンター本体ケース１１内の中央部に配置されることが好ましい。
また、ＲＦＩＤタグ１０Ａが搭載された媒体としてのラベル用紙１０を、ロール紙７としてプリンター本体３の近傍の給紙装置２にセットした構成に限定されず、例えばカット紙にＲＦＩＤタグ１０Ａを付した構成として、このカット紙をプリンター本体３の近傍に集積配置した構成とすることも可能であるし、プリンター本体３から離れた箇所にロール紙７をセットしてもよい。さらに、プリンター本体ケース１１とは別体としてタグ読書装置４６を配置してもよい。
また、プリンター１は、感熱紙としてのラベル用紙１０に印刷を行うサーマルヘッド４１を備えた構成に限定されず、インクジェット式プリンターであってもよいし、レーザープリンターやドットインパクトプリンター等に本発明を適用することも可能である。さらに、プリンター１に、エラーを報知するブザーや発光部、表示画面等を設けてもよく、その他の細部構成についても任意に変更可能であることは勿論である。
【符号の説明】
【００４７】
１…プリンター（媒体処理装置）、７…ロール紙（媒体）、１０…ラベル用紙（媒体）、１０Ａ…ＲＦＩＤタグ（ＩＣタグ）、４６…タグ読書装置（情報読書部）、５２…搬送部、５４…制御部、５５…ホストコンピューター。
【図１】
2014063476.tif 000003
【図２】
2014063476.tif 000004
【図３】
2014063476.tif 000005
【図４】
2014063476.tif 000006
【図５】
2014063476.tif 000007
【図６】
2014063476.tif 000008
【図７】
2014063476.tif 000009